(57)【要約】【課題】  電流遮断器に印加される電圧値を低下させる。【解決手段】  蓄電装置１０は、第１充電ラインＣＨＬ１および第２充電ラインＣＨＬ２を介して充電器３１，３７と接続されている。第１充電ラインＣＨＬ１にはダイオードＤ３が設けられ、ダイオードＤ３のカソードは蓄電装置１０の正極端子に接続されている。第１充電ラインＣＨＬ１および第２充電ラインＣＨＬ２にはコンデンサＣ３が接続されている。ダイオードＤ３を設けることにより、蓄電装置１０からコンデンサＣ３に放電されないため、コンデンサＣ３の電圧値が０［Ｖ］であるとき、単電池１１の電流遮断器１１ｂに蓄電装置１０の電圧値が印加されることを防止できる。【選択図】  図１
2015228742.tif 000002
【特許請求の範囲】
【請求項１】
直列に接続された複数の蓄電素子を有し、前記各蓄電素子が内部の電流経路を遮断する電流遮断器を備えた蓄電装置と、
前記蓄電装置の正極端子に接続され、充電器からの電力を前記蓄電装置に供給するための第１充電ラインと、
前記蓄電装置の負極端子に接続され、前記充電器からの電力を前記蓄電装置に供給するための第２充電ラインと、
前記第１充電ラインおよび前記第２充電ラインのそれぞれに設けられた充電リレーと、
前記第１充電ラインに設けられ、カソードが前記正極端子に接続されたダイオードと、
前記第１充電ラインおよび前記第２充電ラインに接続され、一端が前記ダイオードのアノードに接続されたコンデンサと、
を有することを特徴とする蓄電システム。
【発明の詳細な説明】
【技術分野】
【０００１】
本発明は、複数の蓄電素子が直列に接続された蓄電装置を有しており、各蓄電素子が電流遮断器を備えた蓄電システムに関する。
【背景技術】
【０００２】
特許文献１では、正極ラインおよび負極ラインの他に、中間ラインを設けることにより、蓄電素子に含まれる電流遮断器が作動したときに、電流遮断器の端子間に印加される電圧を低下させるようにしている。
【先行技術文献】
【特許文献】
【０００３】
【特許文献１】特許第０５３３３６７１号
【発明の概要】
【発明が解決しようとする課題】
【０００４】
特許文献１には、車両の外部に配置された電源（外部電源）を用いて組電池を充電することが記載されている。ここで、外部電源を用いて組電池を充電するときにおいて、電流遮断器が作動することにより、電流遮断器の端子間に高電圧が印加されてしまうことがある。
【課題を解決するための手段】
【０００５】
本発明の蓄電システムは、蓄電装置と、充電器からの電力を蓄電装置に供給するための第１充電ラインおよび第２充電ラインとを有する。蓄電装置は、直列に接続された複数の蓄電素子を有しており、各蓄電素子は、蓄電素子の内部の電流経路を遮断する電流遮断器を備えている。第１充電ラインは蓄電装置の正極端子に接続され、第２充電ラインは蓄電装置の負極端子に接続されている。
【０００６】
第１充電ラインおよび第２充電ラインのそれぞれには、充電リレーが設けられている。第１充電ラインにはダイオードが設けられ、ダイオードのカソードは蓄電装置の正極端子に接続されている。第１充電ラインおよび第２充電ラインにはコンデンサが接続され、コンデンサの一端はダイオードのアノードに接続されている。
【０００７】
第１充電ラインにダイオードを設けることにより、電流遮断器が作動している状態において、充電リレーをオフからオンに切り替えたときに、作動状態の電流遮断器に印加される電圧値を低下させることができる。ここで、充電リレーがオフであるとき、コンデンサの電圧値が０［Ｖ］となっている。ダイオードを設けていないと、充電リレーをオフからオンに切り替えたときに、作動状態の電流遮断器には、蓄電装置の電圧値およびコンデンサの電圧値の差に相当する電圧値（すなわち、蓄電装置の電圧値）が印加されてしまう。
【０００８】
本発明では、第１充電ラインにダイオードを設けることにより、充電リレーがオフからオンに切り替わっても、蓄電装置からコンデンサへの放電を防止できる。これにより、作動状態の電流遮断器に蓄電装置の電圧値が印加されることを防止できる。なお、ダイオードのカソードは蓄電装置の正極端子に接続されているため、充電器からの電力を蓄電装置に供給して、蓄電装置を充電することができる。
【図面の簡単な説明】
【０００９】
【図１】実施例１である電池システムの構成を示す図である。
【図２】単電池の構成を示す概略図である。
【図３】実施例２である電池システムの構成を示す図である。
【発明を実施するための形態】
【００１０】
以下、本発明の実施例について説明する。
【実施例１】
【００１１】
本発明の実施例１である電池システム（本発明の蓄電システムに相当する）について説明する。図１は、電池システムの構成を示す概略図である。
【００１２】
組電池（本発明の蓄電装置に相当する）１０は、直列に接続された複数の単電池（本発明の蓄電素子に相当する）１１を有する。単電池１１としては、二次電池又は電気二重層キャパシタを用いることができる。組電池１０は、２つの電池グループ１０Ａ，１０Ｂに分けられている。各電池グループ１０Ａ，１０Ｂは、直列に接続された複数の単電池１１によって構成されている。
【００１３】
組電池１０（電池グループ１０Ａ）の正極端子には正極ラインＰＬが接続され、組電池１０（電池グループ１０Ｂ）の負極端子には負極ラインＮＬが接続されている。電池グループ１０Ａおよび電池グループ１０Ｂの間の接続点、言い換えれば、２つの単電池１１の間の接続点には、中間ラインＣＬが接続されている。正極ラインＰＬにはシステムメインリレーＳＭＲ−Ｂが設けられ、システムメインリレーＳＭＲ−Ｂはオンおよびオフの間で切り替わる。負極ラインＮＬにはシステムメインリレーＳＭＲ−Ｇが設けられ、システムメインリレーＳＭＲ−Ｇはオンおよびオフの間で切り替わる。
【００１４】
中間ラインＣＬにはシステムメインリレーＳＭＲ−Ｃが設けられ、システムメインリレーＳＭＲ−Ｃはオンおよびオフの間で切り替わる。システムメインリレーＳＭＲ−Ｃには、抵抗素子ＲおよびシステムメインリレーＳＭＲ−Ｐが並列に接続されている。抵抗素子ＲおよびシステムメインリレーＳＭＲ−Ｐは直列に接続されている。システムメインリレーＳＭＲ−Ｐはオンおよびオフの間で切り替わる。
【００１５】
ダイオードＤ１，Ｄ２は、正極ラインＰＬおよび負極ラインＮＬの間において直列に接続されている。具体的には、ダイオードＤ１のカソードが正極ラインＰＬに接続され、ダイオードＤ１のアノードがダイオードＤ２のカソードと接続されている。ダイオードＤ２のアノードは負極ラインＮＬに接続されている。また、ダイオードＤ１，Ｄ２の間の接続点には、中間ラインＣＬが接続されている。
【００１６】
これにより、ダイオードＤ１は、正極ラインＰＬおよび中間ラインＣＬを介して、電池グループ１０Ａと並列に接続される。また、ダイオードＤ２は、負極ラインＮＬおよび中間ラインＣＬを介して、電池グループ１０Ｂと並列に接続される。
【００１７】
コンデンサＣ１，Ｃ２は、正極ラインＰＬおよび負極ラインの間において直列に接続されている。具体的には、コンデンサＣ１の一端が正極ラインＰＬに接続され、コンデンサＣ１の他端がコンデンサＣ２の一端に接続されている。コンデンサＣ２の他端は負極ラインＮＬに接続されている。コンデンサＣ１，Ｃ２の間の接続点には、中間ラインＣＬが接続されている。
【００１８】
これにより、コンデンサＣ１は、正極ラインＰＬおよび中間ラインＣＬを介して、電池グループ１０ＡやダイオードＤ１と並列に接続される。また、コンデンサＣ２は、負極ラインＮＬおよび中間ラインＣＬを介して、電池グループ１０ＢやダイオードＤ２と並列に接続される。
【００１９】
組電池１０は、正極ラインＰＬおよび負極ラインＮＬを介して、昇圧回路２１に接続されている。昇圧回路２１は、組電池１０の出力電圧を昇圧し、昇圧後の電力をインバータ２２に出力する。インバータ２２は、昇圧回路２１から出力された直流電力を交流電力に変換し、交流電力をモータ・ジェネレータ（ＭＧ）２３に出力する。モータ・ジェネレータ２３は、インバータ２２からの交流電力を受けて、車両を走行させるための運動エネルギを生成する。
【００２０】
モータ・ジェネレータ２３は、車両の制動時に発生する運動エネルギを電気エネルギ（交流電力）に変換し、交流電力をインバータ２２に出力する。インバータ２２は、モータ・ジェネレータ２３からの交流電力を直流電力に変換し、直流電力を昇圧回路２１に出力する。昇圧回路２１は、インバータ２２の出力電圧を降圧し、降圧後の電力を組電池１０に出力する。これにより、組電池１０は、回生電力を蓄えることができる。
【００２１】
ＰＣＵ（Power Control Unit）２００は、昇圧回路２１およびインバータ２２を含むユニットであり、ＰＣＵ２００には、ダイオードＤ１，Ｄ２およびコンデンサＣ１，Ｃ２が含まれる。ダイオードＤ１，Ｄ２およびコンデンサＣ１，Ｃ２は、例えば、昇圧回路２１の基板上に設けることができる。
【００２２】
エアコン（Ａ／Ｃ）２４は、正極ラインＰＬおよび負極ラインＮＬに接続されており、組電池１０からの電力を受けて動作する。ＤＣ／ＤＣコンバータ２５は、正極ラインＰＬおよび負極ラインＮＬに接続されており、組電池１０の出力電力がＤＣ／ＤＣコンバータ２５に供給される。ＤＣ／ＤＣコンバータ２５には補機電池２６および補機２７が接続されており、ＤＣ／ＤＣコンバータ２５の出力電力が補機電池２６や補機２７に供給される。
【００２３】
図１に示す電池システムを起動状態にするときには、システムメインリレーＳＭＲ−Ｐがオフからオンに切り替わるとともに、システムメインリレーＳＭＲ−Ｂ，ＳＭＲ−Ｇがオフからオンに切り替わる。コンデンサＣ１は、電池グループ１０Ａからの放電電流によって充電されるが、コンデンサＣ１の充電電流が抵抗素子Ｒを流れることにより、コンデンサＣ１に突入電流が流れることを抑制できる。また、コンデンサＣ２は、電池グループ１０Ｂからの放電電流によって充電されるが、コンデンサＣ２の充電電流が抵抗素子Ｒを流れることにより、コンデンサＣ２に突入電流が流れることを抑制できる。
【００２４】
コンデンサＣ１，Ｃ２を充電した後、システムメインリレーＳＭＲ−Ｃがオフからオンに切り替わるとともに、システムメインリレーＳＭＲ−Ｐがオンからオフに切り替わる。これにより、組電池１０および昇圧回路２１の接続が完了し、図１に示す電池システムが起動状態となる。なお、システムメインリレーＳＭＲ−Ｂ，ＳＭＲ−Ｇ、ＳＭＲ−Ｃがオンからオフに切り替わることにより、図１に示す電池ステムが停止状態になる。
【００２５】
組電池１０の正極端子およびシステムメインリレーＳＭＲ−Ｂの間の正極ラインＰＬには、第１充電ラインＣＨＬ１の一端が接続されている。第１充電ラインＣＨＬ１の他端は充電器３１に接続されている。第１充電ラインＣＨＬ１には充電リレーＣＨＲ−Ｂが設けられており、充電リレーＣＨＲ−Ｂはオンおよびオフの間で切り替わる。充電リレーＣＨＲ−Ｂおよび充電器３１の間の第１充電ラインＣＨＬ１には、ダイオードＤ３が設けられている。ここで、ダイオードＤ３のカソードは、充電リレーＣＨＲ−Ｂ（言い換えれば、組電池１０の正極端子）に接続されている。
【００２６】
組電池１０の負極端子およびシステムメインリレーＳＭＲ−Ｇの間の負極ラインＮＬには、第２充電ラインＣＨＬ２の一端が接続されている。第２充電ラインＣＨＬ２の他端は充電器３１に接続されている。第２充電ラインＣＨＬ２には充電リレーＣＨＲ−Ｇが設けられており、充電リレーＣＨＲ−Ｇはオンおよびオフの間で切り替わる。
【００２７】
第１充電ラインＣＨＬ１および第２充電ラインＣＨＬ２には、ツェナーダイオードＤ４が接続されている。具体的には、ツェナーダイオードＤ４のカソードは、ダイオードＤ３のアノードと接続されている。ツェナーダイオードＤ４のアノードは、充電リレーＣＨＲ−Ｇおよび充電器３１の間の第２充電ラインＣＨＬ２に接続されている。一方、第１充電ラインＣＨＬ１および第２充電ラインＣＨＬ２には、コンデンサＣ３が接続されている。
【００２８】
充電器３１は、インレット３２に接続されており、インレット３２には、充電プラグ３３を接続することができる。充電プラグ３３は交流電源（例えば、商用電源）３４と接続されている。充電プラグ３３をインレット３２に接続したとき、充電器３１は、交流電源３４から出力された交流電力を直流電力に変換し、直流電力を組電池１０に出力することができる。充電プラグ３３および交流電源３４は、車両の外部に設置されている。
【００２９】
一方、インレット３５は、ダイオードＤ３および充電器３１の間の第１充電ラインＣＨＬ１と、充電リレーＣＨＲ−Ｇおよび充電器３１の間の第２充電ラインＣＨＬ２とに接続されている。インレット３５には、充電プラグ３６を接続することができる。充電プラグ３６は充電器３７と接続されており、充電器３７は直流電源３８と接続されている。充電プラグ３６をインレット３５に接続したとき、充電器３７は、直流電源３８からの電力を組電池１０に供給することができる。充電プラグ３６、充電器３７および直流電源３８は、車両の外部に設置されている。
【００３０】
電池パック１００は、組電池１０、システムメインリレーＳＭＲ−Ｂ，ＳＭＲ−Ｇ，ＳＭＲ−Ｐ，ＳＭＲ−Ｃ、充電リレーＣＨＲ−Ｂ，ＣＨＲ−Ｇ、抵抗素子Ｒ、ダイオードＤ３、ツェナーダイオードＤ４を含んでおり、１つのユニットとして取り扱われる。なお、ダイオードＤ３およびツェナーダイオードＤ４は、各充電器３１，３７に設けることもできる。ただし、本実施例のようにダイオードＤ３およびツェナーダイオードＤ４を設けることにより、ダイオードＤ３およびツェナーダイオードＤ４の数を減らすことができる。
【００３１】
交流電源３４又は直流電源３８からの電力を組電池１０に供給するときには、充電リレーＣＨＲ−Ｂ，ＣＨＲ−Ｇがオフからオンに切り替わる。交流電源３４又は直流電源３８からの電力を用いた組電池１０の充電を外部充電という。外部充電を行うとき、コンデンサＣ３は、交流電源３４又は直流電源３８からの電力によって充電される。
【００３２】
図２に示すように、単電池１１は、発電要素１１ａおよび電流遮断器１１ｂを有する。発電要素１１ａは充放電を行う要素であり、公知のように、正極板、負極板およびセパレータによって構成することができる。電流遮断器１１ｂは、発電要素１１ａに流れる電流を遮断するために用いられる。例えば、単電池１１の内部でガスが発生し、単電池１１の内圧が上昇したときに、電流遮断器１１ｂを作動させることができる。また、発電要素１１ａに過大な電流が流れるときに、電流遮断器１１ｂを作動させることができる。電流遮断器１１ｂとしては、上述した機能を達成させる公知の構成を用いることができる。
【００３３】
電流遮断器１１ｂが作動したときには、電流遮断器１１ｂに電圧が印加されることがある。本実施例では、以下に説明するように、作動状態の電流遮断器１１ｂに印加される電圧を低減することができる。
【００３４】
以下では、電池グループ１０Ａに含まれる単電池１１（任意の１つ）の電流遮断器１１ｂが作動したときについて説明する。なお、電池グループ１０Ｂに含まれる単電池１１（任意の１つ）の電流遮断器１１ｂが作動したときの挙動は、電池グループ１０Ａに含まれる単電池１１の電流遮断器１１ｂが作動したときの挙動と同様であるため、詳細な説明は省略する。
【００３５】
まず、図１に示す電池システムを起動状態にするときに、電流遮断器１１ｂが作動している場合について説明する。
【００３６】
電池システムを起動状態にする前では、コンデンサＣ１，Ｃ２が放電されており、コンデンサＣ１，Ｃ２の電圧値Ｖ＿ｃ１，Ｖ＿ｃ２が０［Ｖ］である。本実施例では、中間ラインＣＬを設けているため、作動状態の電流遮断器１１ｂには、コンデンサＣ１の電圧値Ｖ＿ｃ１と電池グループ１０Ａの電圧値Ｖ＿Ａとの差に相当する電圧値が印加される。ここで、コンデンサＣ１の電圧値Ｖ＿ｃ１が０［Ｖ］であるため、電流遮断器１１ｂには、電池グループ１０Ａの電圧値Ｖ＿Ａが印加される。中間ラインＣＬを省略すると、電流遮断器１１ｂには、組電池１０の電圧値Ｖｂが印加されてしまう。電池グループ１０Ａの電圧値Ｖ＿Ａは、組電池１０の電圧値Ｖｂよりも低いため、本実施例によれば、電流遮断器１１ｂに印加される電圧値を低下させることができる。
【００３７】
次に、組電池１０を放電しているときに電流遮断器１１ｂが作動した場合について説明する。
【００３８】
電流遮断器１１ｂが作動することにより、電池グループ１０Ａは放電されず、電池グループ１０Ｂだけが放電される。ここで、ダイオードＤ１，Ｄ２を省略したとき、コンデンサＣ２の電圧値Ｖ＿ｃ２は、電池グループ１０Ｂの電圧値Ｖ＿Ｂと等しくなる。また、電池グループ１０Ｂの放電電流がコンデンサＣ１に流れることにより、コンデンサＣ１には、コンデンサＣ２とは逆方向の電荷が蓄積される。これにより、コンデンサＣ１の電圧値Ｖ＿ｃ１は、コンデンサＣ２の電圧値Ｖ＿ｃ２、言い換えれば、電池グループ１０Ｂの電圧値Ｖ＿Ｂと等しくなる。
【００３９】
作動状態の電流遮断器１１ｂに印加される電圧値は、上述したように、電池グループ１０Ａの電圧値Ｖ＿ＡとコンデンサＣ１の電圧値Ｖ＿ｃ１との差になる。上述したように、コンデンサＣ１には逆方向の電荷が蓄積されているため、作動状態の電流遮断器１１ｂに印加される電圧値は、電圧値Ｖ＿Ａおよび電圧値Ｖ＿ｃ１（電圧値Ｖ＿Ｂ）の総和（すなわち、組電池１０の電圧値Ｖｂ）になる。
【００４０】
本実施例のように、ダイオードＤ１，Ｄ２を設けると、電池グループ１０Ｂの放電電流をダイオードＤ１に流すことができる。これにより、コンデンサＣ１を放電させることができ、コンデンサＣ１の電圧値Ｖ＿ｃ１を０［Ｖ］にすることができる。このとき、作動状態の電流遮断器１１ｂに印加される電圧値は、電池グループ１０Ａの電圧値Ｖ＿Ａとなる。したがって、ダイオードＤ１，Ｄ２を省略した場合に比べて、作動状態の電流遮断器１１ｂに印加される電圧値を低下させることができる。
【００４１】
次に、組電池１０の充電（外部充電を除く）を行っているときに電流遮断器１１ｂが作動した場合について説明する。
【００４２】
電流遮断器１１ｂが作動すると、電池グループ１０Ａを充電することができなくなる。また、組電池１０を充電するときの電流がコンデンサＣ１，Ｃ２に流れることにより、コンデンサＣ１，Ｃ２が充電される。ここで、コンデンサＣ２は電池グループ１０Ｂと並列に接続されているため、コンデンサＣ２の電圧値Ｖ＿ｃ２は電池グループ１０Ｂの電圧値Ｖ＿Ｂと等しくなる。したがって、コンデンサＣ１の電圧値Ｖ＿ｃ１は、電圧値Ｖ＿ｃ２，Ｖ＿Ｂに比べて上昇しやすくなる。
【００４３】
ここで、電圧値Ｖ＿ｃ１が閾値Ｖ＿ｏｖｌ１よりも高いときには、組電池１０への電力供給を停止させることができる。例えば、回生電力を用いて組電池１０を充電しているとき、モータ・ジェネレータ２３による発電を停止させたり、昇圧回路２１の動作を停止させたりすることができる。これにより、電圧値Ｖ＿ｃ１を閾値Ｖ＿ｏｖｌ１以下の電圧値に維持することができる。
【００４４】
閾値Ｖ＿ｏｖｌ１は予め設定しておくことができる。ここで、電流遮断器１１ｂが作動していなく、組電池１０（又は単電池１１）の電圧値に基づいて組電池１０の充放電を制御するときには、組電池１０への電力供給を停止させる必要が無い。この点を考慮して、閾値Ｖ＿ｏｖｌ１を設定することができる。
【００４５】
電圧値Ｖ＿ｃ１を閾値Ｖ＿ｏｖｌ１以下の電圧値に維持すれば、作動状態の電流遮断器１１ｂには、電圧値Ｖ＿Ａおよび閾値Ｖ＿ｏｖｌ１の差に相当する電圧値が印加される。これにより、電圧値Ｖ＿ｃ１が閾値Ｖ＿ｏｖｌ１よりも高くなる場合に比べて、作動状態の電流遮断器１１ｂに印加される電圧値を低下させることができる。
【００４６】
本実施例では、ダイオードＤ１，Ｄ２を用いているが、ダイオードＤ１，Ｄ２の代わりにツェナーダイオードを用いることもできる。ここで、ダイオードＤ１，Ｄ２と同様に、ツェナーダイオードを接続することができる。ツェナーダイオードに印加される電圧値がツェナーダイオードの降伏電圧値よりも高くなると、ツェナーダイオードのカソードからアノードに電流が流れる。これにより、ツェナーダイオードと並列に接続されたコンデンサＣ１，Ｃ２の電圧値Ｖ＿ｃ１，Ｖ＿ｃ２は、ツェナーダイオードの降伏電圧値よりも高くなることはない。
【００４７】
このように、ツェナーダイオードを用いることにより、コンデンサＣ１，Ｃ２の電圧値Ｖ＿ｃ１，Ｖ＿ｃ２の上限値をツェナーダイオードの降伏電圧値に設定することができる。したがって、コンデンサＣ１，Ｃ２の電圧値Ｖ＿ｃ１，Ｖ＿ｃ２が上昇しすぎることを防止でき、上述したように、作動状態の電流遮断器１１ｂに印加される電圧値を低下させることができる。また、ツェナーダイオードを用いることにより、組電池１０への電力供給を停止させなくても、コンデンサＣ１，Ｃ２の充電を停止させることができる。
【００４８】
次に、外部充電を行っているときに電流遮断器１１ｂが作動した場合について説明する。
【００４９】
電流遮断器１１ｂが作動すると、電池グループ１０Ａ（すなわち、組電池１０）を充電することができなくなる。また、組電池１０を充電するときの電流がコンデンサＣ３に流れることにより、コンデンサＣ３が充電され、コンデンサＣ３の電圧値Ｖ＿ｃ３が上昇する。電圧値Ｖ＿ｃ３がツェナーダイオードＤ４の降伏電圧値よりも高くなると、ツェナーダイオードＤ４のカソードからアノードに充電電流が流れる。これにより、電圧値Ｖ＿ｃ３は、ツェナーダイオードＤ４の降伏電圧値と等しくなる。このように、ツェナーダイオードＤ４を設けることにより、電圧値Ｖ＿ｃ３をツェナーダイオードＤ４の降伏電圧値以下の電圧値に維持することができる。
【００５０】
電流遮断器１１ｂに印加される電圧値は、組電池１０の電圧値Ｖｂと電圧値Ｖ＿ｃ３との差になる。上述したように電圧値Ｖ＿ｃ３をツェナーダイオードＤ４の降伏電圧値以下の電圧値に維持することにより、電圧値Ｖ＿ｃ３が降伏電圧値よりも高くなる場合に比べて、電流遮断器１１ｂに印加される電圧値を低下させることができる。
【００５１】
次に、外部充電を開始するときに電流遮断器１１ｂが作動した場合について説明する。
【００５２】
充電リレーＣＨＲ−Ｂ，ＣＨＲ−Ｇがオフであるとき、コンデンサＣ３の電圧値Ｖ＿ｃ３は０［Ｖ］となっている。この状態において、充電リレーＣＨＲ−Ｂ，ＣＨＲ−Ｇがオフからオンに切り替わることにより、外部充電を開始することができる。ここで、ダイオードＤ３が設けられていないと、作動状態の電流遮断器１１ｂには、組電池１０の電圧値Ｖｂおよび電圧値Ｖ＿ｃ３の差に相当する電圧値が印加されてしまう。電圧値Ｖ＿ｃ３は０［Ｖ］であるため、作動状態の電流遮断器１１ｂには、組電池１０の電圧値Ｖｂが印加される。
【００５３】
本実施例では、ダイオードＤ３を設けているため、充電リレーＣＨＲ−Ｂ，ＣＨＲ−Ｇをオフからオンに切り替えても、組電池１０からコンデンサＣ３への放電が防止される。これにより、作動状態の電流遮断器１１ｂに組電池１０の電圧値Ｖｂが印加されることを防止できる。
【実施例２】
【００５４】
本発明の実施例２について説明する。ここで、実施例１で説明した構成要素と同じ構成要素については同一の符号を用い、詳細な説明は省略する。以下、実施例１と異なる点について、主に説明する。
【００５５】
実施例１では、ダイオードＤ１，Ｄ２およびコンデンサＣ１，Ｃ２がＰＣＵ２００に含まれていたが、本実施例では、ダイオードＤ１，Ｄ２およびコンデンサＣ１，Ｃ２が電池パック１００に含まれている。実施例１では、ダイオードＤ１，Ｄ２およびコンデンサＣ１，Ｃ２を追加する分だけ、ＰＣＵ２００の構成を変更しなければならない。
【００５６】
本実施例によれば、ダイオードＤ１，Ｄ２およびコンデンサＣ１，Ｃ２を電池パック１００に設けているため、ＰＣＵ２００としては、従来の構成を採用することができる。また、本実施例においても、実施例１と同様の効果を得ることができる。
【００５７】
実施例１，２では、ツェナーダイオードＤ４を用いているが、ツェナーダイオードＤ４を省略することもできる。ツェナーダイオードＤ４を省略すると、上述したように、外部充電時に電流遮断器１１ｂが作動することにより、コンデンサＣ３の電圧値Ｖ＿ｃ３が上昇してしまう。この場合には、電圧センサを用いて電圧値Ｖ＿ｃ３を監視しておき、電圧値Ｖ＿ｃ３が予め設定された閾値Ｖ＿ｏｖｌ３よりも高くなったときに、外部充電を停止させることができる。具体的には、充電器３１又は充電器３７の動作を停止させることができる。
【００５８】
これにより、電圧値Ｖ＿ｃ３を閾値Ｖ＿ｏｖｌ３以下の電圧値に維持することができ、電圧値Ｖ＿ｃ３が閾値Ｖ＿ｏｖｌ３よりも高くなってしまう場合に比べて、作動状態の電流遮断器１１ｂに印加される電圧値を低下させることができる。
【符号の説明】
【００５９】
１０：組電池、１１：単電池、１１ａ：発電要素、１１ｂ：電流遮断器、
１０Ａ,１０Ｂ：電池グループ、２１：昇圧回路、２２：インバータ、
２３：モータ・ジェネレータ、１００：電池パック、２００：ＰＣＵ、
ＰＬ：正極ライン、ＮＬ：負極ライン、ＣＬ：中間ライン、
Ｄ１，Ｄ２，Ｄ３：ダイオード、Ｄ４：ツェナーダイオード、Ｒ：抵抗素子、
Ｃ１，Ｃ２，Ｃ３：コンデンサ、ＣＨＲ−Ｂ，ＣＨＲ−Ｇ，ＣＨＲ−Ｐ：充電リレー、
ＳＭＲ−Ｂ，ＳＭＲ−Ｇ，ＳＭＲ−Ｃ,ＳＭＲ−Ｐ：システムメインリレー
【図１】
2015228742.tif 000003
【図２】
2015228742.tif 000004
【図３】
2015228742.tif 000005